(57)【要約】  エレクトロルミネセントダイオードアレイ基板及びその製造方法並びに表示パネルを提供する。当該エレクトロルミネセントダイオードアレイ基板は、サブストレート基板（２０１）と、前記サブストレート基板（２０１）上に位置する、補助電極（２０２）、ピクセル規定層（２０８）、第１電極（２０４）、機能層（２０５）及び第２電極（２０６）とを備え、前記ピクセル規定層（２０８）にはビアホール構造（２０７）を有し、前記補助電極（２０２）は前記ビアホール構造（２０７）の少なくとも一側に位置し、前記第２電極（２０６）と前記補助電極（２０２）とは電気的に接続される。当該エレクトロルミネセントダイオードアレイ基板は補助電極（２０２）の構造設計を変えることで、第２電極（２０６）と補助電極（２０２）との電気的な接続を確保し、第２電極（２０６）の抵抗を減らすことができ、薄い金属を第２電極（２０６）とする時の第２電極（２０６）の抵抗が大きいことによる電圧降下が大きいとの問題を解決でき、電圧降下が大きいことによる有機エレクトロルミネセント表示パネルの損壊を防ぐことができる。
2020525967.tif 000002
【特許請求の範囲】
【請求項１】
サブストレート基板と、
前記サブストレート基板上に位置する、補助電極、ピクセル規定層、第１電極、機能層及び第２電極と、
を備えるエレクトロルミネセントダイオードアレイ基板において、
前記ピクセル規定層にはビアホール構造を有し、
前記補助電極は、前記ビアホール構造の少なくとも一側に位置し、
前記第２電極と前記補助電極とは電気的に接続される、
エレクトロルミネセントダイオードアレイ基板。
【請求項２】
前記補助電極の上面は、前記ビアホール構造における前記機能層の上面よりも高い、
請求項１に記載のエレクトロルミネセントダイオードアレイ基板。
【請求項３】
前記補助電極は、凹字形状構造である、
請求項１又は２に記載のエレクトロルミネセントダイオードアレイ基板。
【請求項４】
前記補助電極は板状構造であり、又は前記補助電極は複数で間隔を置いて配列される、
請求項１又は２に記載のエレクトロルミネセントダイオードアレイ基板。
【請求項５】
前記ビアホール構造には導電性高分子層を有し、
前記第２電極と前記補助電極とは前記導電性高分子層を介して電気的に接続される、
請求項３又は４に記載のエレクトロルミネセントダイオードアレイ基板。
【請求項６】
前記導電性高分子層の厚みは、前記ピクセル規定層の厚みよりも小さい、
請求項５に記載のエレクトロルミネセントダイオードアレイ基板。
【請求項７】
前記導電性高分子層の導電率は１０−６Ｓ／ｍよりも大きい、
請求項５に記載のエレクトロルミネセントダイオードアレイ基板。
【請求項８】
前記導電性高分子層の材料は、ポリピロール、ポリフェニレンスルファイド、ポリフタロシアニン、ポリアニリン及びポリチオフェンのうちの少なくとも１つを含む、
請求項５又は６に記載のエレクトロルミネセントダイオードアレイ基板。
【請求項９】
前記サブストレート基板と前記ピクセル規定層との間に設けられた平坦化層をさらに備え、
前記ビアホール構造は前記ピクセル規定層から延出し且つ前記平坦化層を貫通する、
請求項５〜８のいずれか一項に記載のエレクトロルミネセントダイオードアレイ基板。
【請求項１０】
前記導電性高分子層の厚みは前記平坦化層の厚みよりも大きく、且つ、前記平坦化層と前記ピクセル規定層との厚みの和よりも小さい、
請求項９に記載のエレクトロルミネセントダイオードアレイ基板。
【請求項１１】
前記導電性高分子層の上面と前記ピクセル規定層の上面とは一致する、
請求項９に記載のエレクトロルミネセントダイオードアレイ基板。
【請求項１２】
前記平坦化層及び前記ピクセル規定層を貫通する複数の前記ビアホール構造を備え、
前記第２電極は複数の前記ビアホール構造にてそれぞれ前記補助電極と電気的に接続される、
請求項９に記載のエレクトロルミネセントダイオードアレイ基板。
【請求項１３】
前記機能層の厚みは１００ｎｍ〜３００ｎｍであり、前記補助電極の厚みは０．５μｍ〜１μｍであり、前記平坦化層の厚みは１μｍ〜３μｍであり、前記ピクセル規定層の厚みは１μｍ〜３μｍであり、前記導電性高分子層の厚みは２μｍ〜５．７μｍである、
請求項９に記載のエレクトロルミネセントダイオードアレイ基板。
【請求項１４】
前記機能層は、発光層、電子注入層、電子輸送層、正孔注入層及び正孔輸送層のうちの少なくとも１つを備える、
請求項１３に記載のエレクトロルミネセントダイオードアレイ基板。
【請求項１５】
請求項１〜１４のいずれか一項に記載のエレクトロルミネセントダイオードアレイ基板を備える、
表示パネル。
【請求項１６】
サブストレート基板を提供するステップと、
前記サブストレート基板上に補助電極、ピクセル規定層、第１電極、機能層及び第２電極を形成するステップと、を備えるエレクトロルミネセントダイオードアレイ基板の製造方法において、
前記ピクセル規定層にはビアホール構造が形成され、
前記補助電極は前記ビアホール構造の少なくとも一側に形成され、
前記第２電極と前記補助電極とは電気的に接続される、
エレクトロルミネセントダイオードアレイ基板の製造方法。
【請求項１７】
前記ビアホール構造の少なくとも一側に形成される前記補助電極の上面は、前記ビアホール構造における前記機能層の上面よりも高い、
請求項１６に記載の製造方法。
【請求項１８】
前記補助電極を形成する前に、前記サブストレート基板に平坦化層を形成するステップをさらに備え、
前記ビアホール構造は前記ピクセル規定層から延出し且つ前記平坦化層を貫通する、
請求項１６又は１７に記載の製造方法。
【請求項１９】
前記ビアホール構造に導電性高分子層を形成するステップをさらに備え、
前記第２電極と前記補助電極とは前記導電性高分子層を介して電気的に接続される、
請求項１６〜１８のいずれか一項に記載の製造方法。
【請求項２０】
インクジェットプリント方式により前記導電性高分子層を形成する、
請求項１９に記載の製造方法。
【発明の詳細な説明】
【技術分野】
【０００１】
本願は２０１７年６月３０日付出願の中国特許出願第２０１７１０５５８５９２．２号に基づく優先権を主張する。ここで、上記中国特許出願の全開示内容を援用することで本願の一部とする。
【０００２】
本開示の少なくとも一実施例はエレクトロルミネセントダイオードアレイ基板及びその製造方法並びに表示パネルに関する。
【背景技術】
【０００３】
エレクトロルミネセントダイオードは、製造プロセスが簡単で、生産コストが低く、発光効率が良く、フレキシブル構造を形成しやすく、消費電力が少なく、色の飽和度が良く、視角が広いなどのメリットを有するもので、エレクトロルミネセントダイオードを利用した表示技術は既に重要な表示技術となった。
【０００４】
エレクトロルミネセントダイオードには、有機発光ダイオード（ＯＬＥＤ）や量子ドット発光ダイオード（ＱＬＥＤ）などがある。例えば、有機発光ダイオード（ＯＬＥＤ）アレイ基板は、複数のピクセル単位を含み、各ピクセル単位は、スイッチングトランジスタ、ドライブトランジスタやＯＬＥＤ表示素子などを含んでも良い。ＯＬＥＤ表示素子は、主な構成要素として陽極と、陰極と、有機材料機能層とを含む電流型発光デバイスであればよい。ＯＬＥＤ表示素子の作動原理は、有機材料機能層が、陽極及び陰極によって形成される電界の駆動で、キャリヤーの注入及び再結合により発光する。量子ドット発光ダイオード（ＱＬＥＤ）の構成は、有機発光ダイオード（ＯＬＥＤ）の構成とはよく似ており、主な相違点は、量子ドット発光ダイオード（ＱＬＥＤ）の発光中心は量子ドット（Ｑｕａｎｔｕｍ  ｄｏｔｓ）によって構成され、量子ドット発光ダイオード（ＱＬＥＤ）の発光原理は、電子（Ｅｌｅｃｔｒｏｎ）と正孔（Ｈｏｌｅ）とが量子ドット層に結合した後は光子（Ｅｘｃｉｔｏｎ）となり、光子の再結合により発光することにある。
【発明の概要】
【課題を解決するための手段】
【０００５】
本開示の少なくとも一実施例は、エレクトロルミネセントダイオードアレイ基板を提供する。当該エレクトロルミネセントダイオードアレイ基板は、サブストレート基板と、前記サブストレート基板上に位置する、補助電極、ピクセル規定層、第１電極、機能層、第２電極とを備え、前記ピクセル規定層にはビアホール構造が設けられ、前記補助電極は前記ビアホール構造の少なくとも一側に位置し、前記第２電極と前記補助電極とは、電気的に接続される。
【０００６】
例えば、本開示の少なくとも一実施例に係るエレクトロルミネセントダイオードアレイ基板において、前記補助電極の上面は前記ビアホール構造における前記機能層の上面よりも高い。
【０００７】
例えば、本開示の少なくとも一実施例に係るエレクトロルミネセントダイオードアレイ基板において、前記補助電極は凹字形状構造である。
【０００８】
例えば、本開示の少なくとも一実施例に係るエレクトロルミネセントダイオードアレイ基板において、前記補助電極は板状構造であり、又は、前記補助電極は複数で間隔をおいて配列する。
【０００９】
例えば、本開示の少なくとも一実施例に係るエレクトロルミネセントダイオードアレイ基板において、前記ビアホール構造には導電性高分子層を有し、前記第２電極と前記補助電極とは前記導電性高分子層を介して電気的に接続される。
【００１０】
例えば、本開示の少なくとも一実施例に係るエレクトロルミネセントダイオードアレイ基板において、前記導電性高分子層の厚みは前記ピクセル規定層の厚みよりも小さい。
【００１１】
例えば、本開示の少なくとも一実施例に係るエレクトロルミネセントダイオードアレイ基板において、前記導電性高分子層の導電率は１０−６Ｓ／ｍよりも大きい。
【００１２】
例えば、本開示の少なくとも一実施例に係るエレクトロルミネセントダイオードアレイ基板において、前記導電性高分子層の材料はポリピロール、ポリフェニレンスルファイド、ポリフタロシアニン、ポリアニリン及びポリチオフェンのうちの少なくとも１つを含む。
【００１３】
例えば、本開示の少なくとも一実施例に係るエレクトロルミネセントダイオードアレイ基板は、前記サブストレート基板と前記ピクセル規定層との間に設けられた平坦化層をさらに備え、前記ビアホール構造は前記ピクセル規定層から延出し且つ前記平坦化層を貫通する。
【００１４】
例えば、本開示の少なくとも一実施例に係るエレクトロルミネセントダイオードアレイ基板において、前記導電性高分子層の厚みは前記平坦化層の厚みよりも大きく、且つ前記平坦化層と前記ピクセル規定層との厚みの和よりも小さい。
【００１５】
例えば、本開示の少なくとも一実施例に係るエレクトロルミネセントダイオードアレイ基板において、前記導電性高分子層の上面と前記ピクセル規定層の上面とは一致する。
【００１６】
例えば、本開示の少なくとも一実施例に係るエレクトロルミネセントダイオードアレイ基板は、前記平坦化層及び前記ピクセル規定層を貫通する複数の前記ビアホール構造を備え、前記第２電極は複数の前記ビアホール構造にてそれぞれ前記補助電極と電気的に接続される。
【００１７】
例えば、本開示の少なくとも一実施例に係るエレクトロルミネセントダイオードアレイ基板において、前記機能層の厚みは１００ｎｍ〜３００ｎｍであり、前記補助電極の厚みは０．５μｍ〜１μｍであり、前記平坦化層の厚みは１μｍ〜３μｍであり、前記ピクセル規定層の厚みは１μｍ〜３μｍであり、前記導電性高分子層の厚みは２μｍ〜５．７μｍである。
【００１８】
例えば、本開示の少なくとも一実施例に係るエレクトロルミネセントダイオードアレイ基板において、前記機能層は発光層、電子注入層、電子輸送層、正孔注入層及び正孔輸送層のうちの少なくとも１つを備える。
【００１９】
本開示の少なくとも一実施例は、以上いずれか一項に記載のエレクトロルミネセントダイオードアレイ基板を備える表示パネルをさらに提供する。
【００２０】
本開示の少なくとも一実施例はエレクトロルミネセントダイオードアレイ基板の製造方法をさらに提供する。当該製造方法は、サブストレート基板を提供するステップと、前記サブストレート基板上に補助電極、ピクセル規定層、第１電極、機能層及び第２電極を形成するステップと、を備え、前記ピクセル規定層にはビアホール構造が形成され、前記補助電極は前記ビアホール構造の少なくとも一側に形成され、前記第２電極と前記補助電極とは電気的に接続される。
【００２１】
例えば、本開示の少なくとも一実施例に係る製造方法において、前記ビアホール構造の少なくとも一側に形成される前記補助電極の上面は前記ビアホール構造における前記機能層の上面よりも高い。
【００２２】
例えば、本開示の少なくとも一実施例に係る製造方法は、前記補助電極を形成する前に、前記サブストレート基板に平坦化層を形成するステップをさらに備え、前記ビアホール構造は前記ピクセル規定層から延出し且つ前記平坦化層を貫通する。
【００２３】
例えば、本開示の少なくとも一実施例に係る製造方法は、さらに前記ビアホール構造に導電性高分子層を形成するステップを含み、前記第２電極と前記補助電極とは前記導電性高分子層を介して電気的に接続される。
【００２４】
例えば、本開示の少なくとも一実施例に係る製造方法において、インクジェットプリント方式により前記導電性高分子層を形成する。
【００２５】
本開示の実施例の技術案をさらに明確に説明するためには、以下は実施例の添付図面を簡単に説明する。無論、下記説明における図面は、本開示の一部の実施例に過ぎず、本開示を制限するものではない。
【図面の簡単な説明】
【００２６】
【図１】有機発光ダイオードアレイ基板の構成を示す断面図である。
【図２】本開示の一実施例に係る有機発光ダイオードアレイ基板の構成を示す断面概念図である。
【図３】本開示の一実施例に係る有機発光ダイオードアレイ基板の構成を示す平面概念図である。
【図４】本開示の一実施例に係る別の有機発光ダイオードアレイ基板の構成を示す断面概念図である。
【図５】本開示の一実施例に係るさらに別の有機発光ダイオードアレイ基板の構成を示す断面概念図である。
【図６】本開示の一実施例に係るさらに別の有機発光ダイオードアレイ基板の構成を示す断面概念図である。
【図７】本開示の少なくとも一実施例に係るさらに別の有機発光ダイオードアレイ基板の構成を示す断面概念図である。
【図８】本開示の一実施例に係る表示パネルのブロック図である。
【図９】本開示の一実施例に係る有機発光ダイオードアレイ基板の製造プロセスを示すフローチャートである。
【発明を実施するための形態】
【００２７】
本開示の実施例の目的、技術案及びメリットをさらに明確にするためには、以下は本開示の実施例の図面に基づいて本開示の実施例の技術案を明確かつ全面的に説明する。無論、以下に説明された実施例は本開示の実施例の一部であり、すべての実施例ではない。当業者は以下に説明された本開示の実施例に基づいて、創造的な労働を払うことなく得られた全ての実施例が、本開示の保護範囲に含まれる。
【００２８】
特別な定義がない限り、本開示に用いられる技術用語又は科学用語は、当分野において一般的な技能を持つ技術者にとって理解できる通常の意味を有する。本開示において用いられる「第１」、「第２」及び類似な用語は、順番、数量又は優先順位を表すものではなく、互いに異なる構成部分を区別するためのものである。「含む」又は「含有する」などの類似な意味を有する表現は、その前に位置する部材又はものは、その後に列挙された部材、もの又はそれらの均等物をカバーするとともに、その他の部材又はものを排除しないとの意味で使われる。「連接」又は「連なる」などの類似な意味を有する表現は、物理的又は機械的な連接に限らず、電気的な接続、直接又は間接的な連接との意味を有しても良い。「上」、「下」、「右」、「左」などの表現は、相対的な位置関係を示すもののみであり、説明された対象の絶対的な位置が変更すると、当該相対位置も適当に変更する。
【００２９】
エレクトロルミネセントダイオード、例えば、有機発光ダイオード（ＯＬＥＤ）や量子ドット発光ダイオード（ＱＬＥＤ）などは、電流型の駆動素子であることが多く、駆動電流を提供するための外部回路が長すぎ又は細すぎる場合、外部回路は大きな電圧勾配（電圧降下）を招来する。電圧降下を軽減するために、一般的にはエレクトロルミネセントダイオード表示素子に補助電極を追加し、例えば、エレクトロルミネセントダイオードアレイ基板には補助電極が設けられ、補助電極は、ビアホール構造により陰極と電気的に接続される。しかし、ＯＬＥＤ素子の製造プロセス、特にサイズが大きなＯＬＥＤパネルの製造プロセスでは、ビアホール構造に有機材料が蒸着され、有機材料は陰極と補助電極とを離隔させることがある。ＱＬＥＤ素子の製造プロセス、特にサイズが大きなＱＬＥＤ面板の製造プロセスでは、ビアホール構造に量子ドット発光層が印刷により形成され、量子ドット発光層は、陰極と補助電極とを離隔させることがある。
【００３０】
例えば、有機発光ダイオードアレイ基板を例にして説明する。図１は有機発光ダイオードアレイ基板の構成を示す断面図である。図１に示すように、当該有機発光ダイオードアレイ基板は、サブストレート基板１０１と、当該サブストレート基板１０１上に設けられた、補助電極１０２、平坦化層１０３、第１電極１０４、有機材料機能層１０５、第２電極１０６、ピクセル規定層１０８とを備え、当該平坦化層１０３にはビアホール構造１０７が設けられる。
【００３１】
例えば、ＯＬＥＤアレイ基板の第２電極１０６は、一般的には薄層の金属銀によって製造され、第１電極１０４は、一般的にはＩＴＯ（ｉｎｄｉｕｍ  ｔｉｎ  ｏｘｉｄｅ、酸化インジウムスズ）によって製造され、薄層の金属銀及び酸化インジウムスズ（ＩＴＯ）の抵抗率が比較的に高く、特に大きな面積に成形された第２電極１０６に対しては、薄層の金属銀によって製造された第２電極１０６の抵抗率が比較的に高いので、大きな電圧降下（ＩＲ  ｄｒｏｐ）  を招来し、ＯＬＥＤアレイ基板の実の駆動電圧と電源電圧との差が大きく、サイズが大きなＯＬＥＤ表示素子においては、広面積の明度不均一が表れ、表示効果に悪影響を与える結果となる。図１に示すように、サブストレート基板１０１上に補助電極１０２を設置することで第２電極１０６の抵抗を低くすることができる一方、後に形成された有機材料機能層１０５は、補助電極１０２と第２電極１０６とを電気的に隔絶させ、補助電極１０２は第２電極１０６とは並列に接続できなくなり、電圧降下を有効に減少することができない。
【００３２】
本開示の発明者は、補助電極の構造設計を変えることで第２電極と補助電極との電気的な接続を保証することにより、第２電極と電気的に接続された補助電極は第２電極の等価厚みを増大させ、且つ第２電極の抵抗を減少させ、薄い金属を第２電極とする時の第２電極の抵抗が大きいことによる電圧降下が大きいとの問題を解決でき、電圧降下が大きいことによる有機エレクトロルミネセント表示パネルの損壊を防止できることに着目した。
【００３３】
本開示の少なくとも一実施例は、サブストレート基板と、サブストレート基板上に位置する、補助電極、ピクセル規定層、第１電極、機能層、第２電極とを備えるエレクトロルミネセントダイオードアレイ基板であって、当該ピクセル規定層にはビアホール構造が設けられ、補助電極は当該ビアホール構造の少なくとも一側に位置し、当該第２電極は補助電極と電気的に接続するエレクトロルミネセントダイオードアレイ基板を提供する。本開示の実施例は、補助電極の構造設計を変えることで第２電極と補助電極との電気的な接続を保証し、外部回路の電圧降下が大きいとの問題を解決した。
【００３４】
本開示の少なくとも一実施例は、エレクトロルミネセントダイオードアレイ基板が有機発光ダイオード（ＯＬＥＤ）アレイ基板又は量子ドット発光ダイオード（ＱＬＥＤ）アレイ基板であるエレクトロルミネセントダイオードアレイ基板を提供する。以下は、当該エレクトロルミネセントダイオードアレイ基板は有機発光ダイオード（ＯＬＥＤ）アレイ基板であることを例にして説明する。
【００３５】
例えば、図２は本開示の少なくとも一実施例に係る有機発光ダイオードアレイ基板の構成を示す断面概念図である。図２に示すように、当該有機発光ダイオードアレイ基板２は、サブストレート基板２０１と、当該サブストレート基板２０１上に設けられた補助電極２０２、ピクセル規定層２０８、第１電極２０４、機能層２０５（例えば、有機材料機能層）、第２電極２０６と、を備え、当該ピクセル規定層２０８にはビアホール構造２０７が設けられ、当該補助電極２０２はビアホール構造２０７の少なくとも一側に設けられ、当該第２電極２０６は当該補助電極２０２と電気的に接続する。
【００３６】
なお、補助電極はビアホール構造の少なくとも一側に設けられることは、補助電極はビアホール構造の外側又は内側に設けられることを強調する意味ではなく、補助電極はビアホール構造の外側の少なくとも一方の側壁に設けられることを指すものである。
【００３７】
例えば、補助電極２０２の上面はビアホール構造２０７における機能層２０５の上面よりも高い。
【００３８】
例えば、当該ＯＬＥＤアレイ基板は表示領域と表示領域以外の周辺領域とを備え、表示領域はＡＡ（Ａｃｔｉｖｅ  Ａｒｅａ）領域とも呼ばれ、一般的には表示を実現するための領域であり、周辺領域は、駆動回路を設置するために設けられ、表示パネルのパッケージングなどを行うための領域である。例えば、周辺領域では、第２電極２０６は補助電極２０２と電気的に接続してもよい。表示領域では、第２電極２０６は補助電極２０２と再度電気的に接続してもよい。このように、第２電極２０６と補助電極２０２とは、第１端及び第２端にてそれぞれ接続され、並列回路を形成する。又は、第２電極２０６と補助電極２０２とが互いに接続された２つの位置は、いずれも表示領域にあってもよい。第２電極２０６は電圧信号を受け取って伝達し、第２電極２０６と電気的に接続する補助電極２０２に達する時に、補助電極２０２は電圧信号を伝達する分岐回路として第２電極２０６と同時に電圧信号を伝達する。このように、第２電極２０６と補助電極２０２とが並列回路を形成することに相当し、信号伝達途中の抵抗が低下される。また、補助電極２０２は先に電圧信号を受け取り、電圧信号は補助電極２０２と電気的に接続される第２電極２０６に達する時に、第２電極２０６は電圧信号を伝達する分岐回路として補助電極２０２と同時に電圧信号を伝達する構成であればよい。さらに、第２電極２０６と補助電極２０２とは同時に電圧信号を受け取り、第２電極２０６と補助電極２０２とは２つの分岐回路として同時に電圧信号を伝達する構成であればよい。
【００３９】
例えば、図３に示すように、当該ＯＬＥＤアレイ基板２はさらにサブストレート基板２０１上に設けられた電力線、データ線及びグリッド線（図示せず）を備え、グリッド線とデータ線との交差により限定された領域ではピクセル構造が設けられ、例えば、当該ピクセル構造はスイッチングトランジスタ３０、ドライブトランジスタ４０及びＯＬＥＤ素子２０を備え、スイッチングトランジスタ３０はグリッド線及びデータ線に接続され、ドライブトランジスタ４０はスイッチングトランジスタ３０、電力線及びＯＬＥＤ素子に接続される。
【００４０】
例えば、図２及び図３に示すように、ピクセル規定層２０８は第１電極２０４と第２電極２０６との間に形成され、当該ピクセル規定層２０８は隣接する２つの子ピクセル単位を隔離するための構成であればよい。
【００４１】
例えば、上記ピクセル構造、グリッド線及びデータ線はいずれも表示領域に位置し、当該ＯＬＥＤアレイ基板には、グリッド線、データ線などの導線以外、ピクセル単位と検出集積回路とを接続する検出補償線を含んでもよい。当該検出補償線は表示領域に位置してもよい。
【００４２】
例えば、図２に示すように、ビアホール構造２０７に設けられる少なくとも一側の補助電極２０２の上面はビアホール構造２０７における機能層２０５の上面よりも高い。これにより、補助電極２０２は、ビアホール構造２０７における機能層２０５の上面よりも高い部分により第２電極２０６と電気的に接続される。
【００４３】
例えば、図４は本開示の一実施例に係る別の有機発光ダイオードアレイ基板の構成を示す断面概念図である。図４に示すように、当該エレクトロルミネセントダイオードアレイ基板はさらにサブストレート基板２０１とピクセル規定層２０８との間に設けられる平坦化層２０３を備え、ビアホール構造２０７はピクセル規定層２０８から延出し、平坦化層２０３を貫通する。
【００４４】
例えば、図４に示すように、当該ビアホール構造２０７はピクセル規定層２０８から延出し、平坦化層２０３を貫通する。このように、当該ビアホール構造２０７の深みはピクセル規定層２０８と平坦化層２０３との厚みの和以上である。
【００４５】
例えば、本開示の実施例において、当該機能層２０５の厚みは１００ｎｍ〜３００ｎｍであり、例えば、当該機能層２０５の厚みは１００ｎｍ、２００ｎｍ又は３００ｎｍなどである。
【００４６】
例えば、補助電極２０２の厚みは０．５μｍ〜１μｍであり、例えば、０．５μｍ、０．６μｍ、０．７μｍ、０．８μｍ、０．９μｍ又は１μｍなどである。
【００４７】
例えば、平坦化層２０３の厚みは１μｍ〜３μｍであり、例えば、１μｍ、２μｍ又は３μｍなどである。
【００４８】
例えば、ピクセル規定層２０８の厚みは１μｍ〜３μｍであり、例えば、１μｍ、２μｍ又は３μｍなどである。
【００４９】
例えば、第１電極２０４の厚みは２００ｎｍ〜３００ｎｍであり、例えば、２００ｎｍ、２５０ｎｍ又は３００ｎｍなどである。
【００５０】
例えば、第２電極２０６の厚みは１００ｎｍ〜２００ｎｍであり、例えば、１００ｎｍ、１５０ｎｍ又は２００ｎｍなどである。
【００５１】
さらに、例えば、第２電極２０６と補助電極２０２とが直接に接続すると、第２電極２０６に段差が生じる可能性があり、即ち、第２電極２０６が断裂する可能性がある。ビアホール構造２０７に機能層２０５が高く敷かれるように導電性高分子層２０９を設置することで、第２電極２０６の断裂を防止してよい。図２及び図４に示すように、補助電極２０２と第２電極２０６との間に導電性高分子層２０９が形成され、第２電極２０６と補助電極２０２とは当該導電性高分子層２０９を介して電気的に接続されることで第２電極２０６に段差が生じるリスクが低下される。
【００５２】
例えば、当該導電性高分子層２０９の厚みは平坦化層２０３の厚みよりも大きく、平坦化層２０３とピクセル規定層２０８との厚みの和よりも小さい。
【００５３】
例えば、当該導電性高分子層２０９の上面は当該ピクセル規定層２０８の上面に一致すればよい。これにより、第２電極２０６に段差が生じるリスクを減らすことができる。
【００５４】
例えば、当該導電性高分子層２０９の厚みは２μｍ〜５．７μｍである。例えば、当該導電性高分子層の厚みは２μｍ、３μｍ、４μｍ又は５μｍなどであればよい。
【００５５】
例えば、当該導電性高分子層２０９の導電率は１０−６Ｓ／ｍよりも大きい。これにより、補助電極２０２と第２電極２０６との電気的な接続を確保できる。
【００５６】
例えば、当該導電性高分子層２０９の材料は、ポリピロール、ポリフェニレンスルファイド、ポリフタロシアニン、ポリアニリン、ポリチオフェンのうちの少なくとも１つである。
【００５７】
例えば、図５は本開示の少なくとも一実施例に係るさらに別の有機発光ダイオードアレイ基板の構成を示す断面概念図である。図５に示すように、ビアホール構造２０７における補助電極２０２は「凹」字形状構造である。これは、補助電極２０２の両側壁が高く敷かれることで第２電極２０６はビアホール構造２０７にて補助電極２０２とは直接に電気的に接続されることに相当する。これにより、導電性高分子層を形成するステップが減少されるとともに、第２電極２０６に段差が生じるリスクを減らすことができる。
【００５８】
なお、補助電極２０２は「凹」字形状構造であることは、サブストレート基板２０１と垂直する板面の方向において、補助電極の断面構造（即ち、補助電極の縦断面）は「凹」字形状であることを指す。
【００５９】
例えば、図６は本開示の少なくとも一実施例に係るさらに別の有機発光ダイオードアレイ基板の構成を示す断面概念図である。例えば、「凹」字形状構造の補助電極２０２に導電性高分子層２０９を形成すればよい。これにより、第２電極２０６に段差が生じるリスクをさらに減らすことができる。
【００６０】
例えば、補助電極２０２は板状構造であり、少なくともビアホール構造２０７を敷き詰める。又は、サブストレート基板２０１の板面と平行する平面においてビアホール構造２０７の延出方向に沿って、補助電極２０２は複数であり、且つ複数の補助電極２０２は互いに間隔を置いて配列される。
【００６１】
例えば、図７は本開示の少なくとも一実施例に係るさらに別の有機発光ダイオードアレイ基板の構成を示す断面概念図である。図７に示すように、当該エレクトロルミネセントダイオードアレイ基板は、当該平坦化層２０３及び当該ピクセル規定層２０８を貫通する複数のビアホール構造２０７を備え、当該第２電極２０６は複数のビアホール構造２０７にてそれぞれ補助電極２０２と電気的に接続されることにより、第２電極２０６と補助電極２０２とは並列に接続される。図７には２つのビアホール構造２０７が示され、言うまでもなく、本願の実施例はこれに限らず、より多く複数のビアホール構造２０７を形成することで第２電極及び補助電極の抵抗をさらに減少すればよい。そのほかにも、複数のビアホール構造２０７により第２電極２０６と補助電極２０２とを並列的に接続することで第２電極２０６の厚みを増加させることは、第２電極２０６の横断面積を増加することに相当し、第２電極２０６の抵抗がさらに減少される。
【００６２】
例えば、当該ピクセル規定層２０８は、一般的には有機絶縁材料（例えば、アクリル樹脂）又は無機絶縁材料（例えば、窒化ケイ素ＳｉＮｘ又は酸化ケイ素ＳｉＯｘ）によって形成され、絶縁性を有する。当該ピクセル規定層２０８は第２電極２０６と補助電極２０２との間に設置する絶縁構造と見せばよい。
【００６３】
例えば、第１電極２０５の材料は透明性導電材料であればよい。当該透明性導電材料はＩＴＯ、ＩＺＯ、ＩＧＯ、ＧＺＯ、ＺｎＯ、Ｉｎ２Ｏ３、ＡＺＯ及びカーボンナノチューブなどである。
【００６４】
例えば、第１電極２０５の材料は金属導電材料であればよい。当該金属導電材料は、銅（Ｃｕ）、クロム（Ｃｒ）、モリブデン（Ｍｏ）、金（Ａｕ）及びプラチナ（Ｐｔ）などの単金属又は上記金属によって形成された合金材料を含み、例えば、クロム銅合金（ＣｕＣｒ）又はクロムモリブデン合金（ＣｒＭｏ）などである。
【００６５】
例えば、第１電極２０５の材料は、上記透明性導電材料と金属導電材料との任意な組み合わせによって形成された積層構成であればよい。例えば、ＩＴＯ−Ｍｏ−ＩＺＯ、ＩＴＯ−Ｃｒ−Ｉｎ２Ｏ３、ＩＴＯ−Ｃｕ−ＺｎＯ及びＩＴＯ−Ｐｔ−ＩＧＯによって形成された二層の透明性導電材料の間に一層の金属導電材料を挟む構成、又は、ＩＺＯ−Ｍｏ、ＩＴＯ−Ｃｒ、ＺｎＯ−Ｍｇ及びＩＴＯ−Ａｕによって形成された一層の金属導電材料と一層の透明性導電材料とによって形成された二層の積層構造であってもよい、例えば、透明性導電材料と金属導電材料との任意の組み合わせによって形成された積層構造は上記二層積層構造及び三層積層構造に限らず、その他の層数の多層積層構造、例えば、四層積層構造、五層積層構造などであってもよい。。
【００６６】
なお、上記した第１電極を形成する金属材料又は合金材料の自由エネルギーは比較的に低いから、ＯＬＥＤアレイ基板における有機材料機能層とは良く合わせることができない。第１金属層の有機材料機能層に近い一側に一層の透明性導電材料を形成することで第１金属の自由エネルギーを向上でき、第１電極と有機材料機能層とをよく合わせることができる。その他にも、二層構造又は三層構造の第１電極は単層構造の第１電極よりも抵抗が小さいから、当該多層構造の第１電極の抵抗を減らした。
【００６７】
例えば、第２電極１０４の材料は、マグネシウム、アルミ又はリチウムなどの単金属、又はマグナリウム（ＭｇＡｌ）、リチウムアルミ合金（ＬｉＡｌ）などを含む。
【００６８】
例えば、本開示の少なくとも一実施例に係るエレクトロルミネセントダイオードアレイ基板において、アレイ基板が有機発光ダイオード（ＯＬＥＤ）アレイ基板であることを例にして説明する。当該機能層は、発光層、電子注入層、電子輸送層、正孔注入層及び正孔輸送層などを備える。
【００６９】
例えば、当該有機発光ダイオード（ＯＬＥＤ）アレイ基板における機能層の形成方法には、真空蒸着方式及び溶液方式がある。真空蒸着方式は、有機小分子に適用し、且つ溶媒が必要とされず、形成された有機材料機能層における各層薄膜の厚みが均一である。溶液方式には、スピン、インクジェットプリント、ノズルコーデイング法などがある。当該方法はポリマー材料及び可溶性小分子に適用し、生産設備に要する費用が少なく、大規模、大寸法の製品の生産にはメリットがある。特にインクジェットプリント技術では、溶液を正確にピクセル領域にコーティングすることができる。
【００７０】
なお、有機発光ダイオード（ＯＬＥＤ）アレイ基板とは異なり、自己発光量子ドット発光ダイオード（ＱＬＥＤ）の量子ドットは熱量及び水分からの影響を受けやすいから、自己発光ＯＬＥＤとは同じ蒸着方法を実現できず、インクジェットプリント方式を採用するしかない。
【００７１】
本開示の少なくとも一実施例はさらに表示パネルを提供する。当該表示パネルは、上記いずれの実施例に係るエレクトロルミネセントダイオードアレイ基板を備える。
【００７２】
例えば、図８はエレクトロルミネセントダイオードアレイ基板を備える表示パネルのブロック図である。図８に示すように、表示パネル１はその中に設けられるエレクトロルミネセントダイオードアレイ基板２を備える。例えば、当該表示パネル１は表示装置に適用可能である。例えば、当該表示装置は、スマートホン、タブレット、テレビジョン、ディスプレイ、ノートパソコン、デジタルフォトフレームやナビゲーション装置などの表示機能を有する製品又は部品である。当該表示装置の実施は上記エレクトロルミネセントダイオードアレイ基板の実施例を参照し、ここでは重複な説明を省略する。
【００７３】
本開示の少なくとも一実施例はエレクトロルミネセントダイオードアレイ基板の製造方法を提供し、当該エレクトロルミネセントダイオードアレイ基板は有機発光ダイオード（ＯＬＥＤ）アレイ基板又は量子ドット発光ダイオード（ＱＬＥＤ）アレイ基板であってもよい。以下は当該エレクトロルミネセントダイオードアレイ基板が有機発光ダイオード（ＯＬＥＤ）アレイ基板であることを例にして説明する。
【００７４】
例えば、図９は本開示の少なくとも一実施例に係る有機発光ダイオードアレイ基板の製造プロセスを示すフローチャートである。例えば、当該製造方法は、
【００７５】
サブストレート基板を提供するステップＳ１０１と、
【００７６】
サブストレート基板上に補助電極、ピクセル規定層、第１電極、機能層及び第２電極を形成し、当該ピクセル規定層を形成するステップは、ピクセル規定層にビアホール構造を形成するステップを含み、当該補助電極はビアホール構造の少なくとも一側に形成され、当該第２電極と補助電極とは電気的に接続されるステップＳ１０２とを備える。
【００７７】
例えば、本開示の少なくとも一実施例に係る製造方法において、ビアホール構造の少なくとも一側に形成された補助電極の上面はビアホール構造における機能層の上面よりも高い。これにより、補助電極はビアホール構造における機能層の上面よりも高い部分を介して前記第２電極と電気的に接続される。
【００７８】
例えば、ピクセル規定層を形成する前に、平坦化層を形成するステップをさらに備える。当該ビアホール構造はピクセル規定層から延出し当該平坦化層を貫通する。当該ピクセル規定層は、互いに隣接する２つの子ピクセル単位を隔離してもよい。
【００７９】
例えば、第２電極と補助電極とが並列に接続されるように、当該第２電極は複数のビアホール構造にてそれぞれ当該補助電極と電気的に接続される。それ以外に、複数のビアホール構造により第２電極と補助電極とが並列に接続されることで、第２電極の厚みを増加可能で、第２電極の横断面積が増加することに相当し、第２電極の抵抗がさらに低下される。
【００８０】
例えば、当該ピクセル規定層は一般的には有機絶縁材料（例えば、アクリル樹脂）又は無機絶縁材料（例えば、窒化ケイ素ＳｉＮｘ又は酸化ケイ素ＳｉＯｘ）によって形成され、ピクセル規定層は絶縁性を持つ。当該ピクセル規定層は、第２電極と補助電極との間に設けられる絶縁構造と見なしてもよい。
【００８１】
例えば、本開示の少なくとも一実施例に係る製造方法は、ビアホール構造に導電性高分子層を形成するステップをさらに備え、第２電極と補助電極とは当該導電性高分子層を介して電気的に接続される。第２電極と補助電極とは直接に接続されると、第２電極に段差が生じる可能性があり、即ち第２電極が断裂する可能性がある。第２電極の断裂を防ぐためには、機能層が高く敷かれるようにビアホール構造に導電性高分子層を設置すればよい。
【００８２】
例えば、当該導電性高分子層の厚みは平坦化層の厚みよりも大きく、平坦化層とピクセル規定層との厚みの和よりも小さい。
【００８３】
例えば、当該導電性高分子層の上面は当該ピクセル規定層の上面と一致する。これにより、基本的には第２電極に段差が生じるリスクを解消できる。
【００８４】
例えば、当該導電性高分子層２０９の厚みは２μｍ〜５．７μｍである。例えば、当該導電性高分子層の厚みは２μｍ、３μｍ、４μｍ又は５μｍなどであればよい。
【００８５】
例えば、当該導電性高分子層２０９の導電率は１０−６Ｓ／ｍよりも大きい。これにより、補助電極２０２と第２電極２０６との電気的な接続を確保できる。
【００８６】
例えば、当該導電性高分子層２０９の材料は、ポリピロール、ポリフェニレンスルファイド、ポリフタロシアニン、ポリアニリン及びポリチオフェンのうちの少なくとも１つを含む。
【００８７】
例えば、本実施例に係る製造方法において、インクジェットプリント方式により当該導電性高分子層を形成する。
【００８８】
例えば、本実施例において、機能層の厚みは１００ｎｍ〜３００ｎｍであり、例えば、１００ｎｍ、２００ｎｍ又は３００ｎｍなどである。
【００８９】
例えば、補助電極２０２の厚みは０．５μｍ〜１μｍであり、例えば、０．５μｍ、０．６μｍ、０．７μｍ、０．８μｍ、０．９μｍ又は１μｍなどである。
【００９０】
例えば、平坦化層２０３の厚みは１μｍ〜３μｍであり、例えば、１μｍ、２μｍ又は３μｍなどである。
【００９１】
例えば、ピクセル規定層２０８の厚みは１μｍ〜３μｍであり、例えば、１μｍ、２μｍ又は３μｍなどである。
【００９２】
例えば、第１電極２０４の厚みは２００ｎｍ〜３００ｎｍであり、例えば、２００ｎｍ、２５０ｎｍ又は３００ｎｍなどである。
【００９３】
例えば、第２電極２０６の厚みは１００ｎｍ〜２００ｎｍであり、例えば、１００ｎｍ、１５０ｎｍ又は２００ｎｍなどである。
【００９４】
本開示の少なくとも一実施例に係るエレクトロルミネセントダイオードアレイ基板及びその製造方法並びに表示パネルは、以下の作用効果の少なくとも１つを有する。
【００９５】
（１）本開示の少なくとも一実施例に係るエレクトロルミネセントダイオードアレイ基板は、補助電極の構造設計を変えることで、第２電極と補助電極との電気的な接続を確保する。これにより、第２電極と電気的に接続する補助電極は第２電極の等価厚みを増加可能である。
【００９６】
（２）本開示の少なくとも一実施例に係るエレクトロルミネセントダイオードアレイ基板は、第２電極の抵抗を減らすことが可能であり、薄い金属を第２電極とする時の第２電極の抵抗が大きいによる電圧降下が大きいとの問題を防ぐことができる。
【００９７】
（３）本開示の少なくとも一実施例に係るエレクトロルミネセントダイオードアレイ基板は、電圧降下が大きいことによる有機エレクトロルミネセント表示パネルの損壊を防ぐことが可能である。
【００９８】
なお、
（１）本開示の実施例の図面は、本開示の実施例に係る構造に関するものであり、その他の構成は、通常の設計を参考すればよい。
【００９９】
（２）本願の内容がはっきり見えるように、本開示の実施例を説明する図面では、層又は領域の厚みが拡大され又は縮小されることがある。即ち、これらの図面は実の比例で作成されるものではない。層、膜、領域や基板などの素子はその他の素子の「上方」又は「下方」に位置する場合、当該素子は「直接」にその他の素子の「上方」又は「下方」に位置に位置してもよいし、又は中間部材を介して位置してもよいことが理解すできである。
【０１００】
（３）本開示の実施例と実施例における特徴とを相互に矛盾しない範囲で組み合わせることで新しい実施例にしてもよい。
【０１０１】
以上に示すものは、本開示の具体的な実施形態に過ぎず、本開示の保護範囲はこれに限定されず、特許請求の範囲によって定められる。
【符号の説明】
【０１０２】
１０１、２０１  サブストレート基板
１０２、２０２  補助電極
１０３、２０３  平坦化層
１０４、２０４  第１電極
１０５  有機材料機能層
２０５  機能層
１０６、２０６  第２電極
１０７、２０７  ビアホール構造
１０８、２０８  ピクセル規定層
２０９  導電性高分子層
１  表示パネル
２  エレクトロルミネセントダイオードアレイ基板
２０  ＯＬＥＤ素子
３０  スイッチングトランジスタ
４０  ドライブトランジスタ
【図１】
2020525967.tif 000003
【図２】
2020525967.tif 000004
【図３】
2020525967.tif 000005
【図４】
2020525967.tif 000006
【図５】
2020525967.tif 000007
【図６】
2020525967.tif 000008
【図７】
2020525967.tif 000009
【図８】
2020525967.tif 000010
【図９】
2020525967.tif 000011
【国際調査報告】
2020525967.tif 000012
2020525967.tif 000013
2020525967.tif 000014
2020525967.tif 000015
2020525967.tif 000016
2020525967.tif 000017